【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
少なくとも所定のフレーム中の全領域または１以上の所定領域に、複数のドットを所定規則に基づいて配置した、表示装置を用いて表示させる機械可読ドットパターンを読み取るためのカメラを備える機械可読ドットパターン情報端末であって、
該複数のドットは、複数の情報ドットまたは、複数の情報ドットおよび基準ドットからなり、
前記ドットのそれぞれが、当該ドットのそれぞれの周辺画素領域との間で識別可能なコントラスト制御領域を備えており、一方のドットと他方のドットがそれぞれ備える該コントラスト制御領域の間に少なくとも１ピクセルの周辺画素領域が表示される間隔を有して配置された、
機械可読ドットパターン情報端末。
【請求項２】
少なくとも所定のフレーム中の全領域または１以上の所定領域に、複数のドットを所定規則に基づいて配置した、表示装置を用いて表示させる機械可読ドットパターンを読み取るためのカメラを備える機械可読ドットパターン情報端末であって、
該複数のドットは、複数の情報ドットまたは、複数の情報ドットおよび基準ドットからなり、
前記ドットのそれぞれが、当該ドットのそれぞれの周辺画素領域の画素色から当該ドットの画素色まで徐々に画素色が変化するアンチエリアシング領域を備えている、
機械可読ドットパターン情報端末。
【請求項３】
前記ドットのそれぞれが、当該ドットのそれぞれの周辺画素領域の画素色から前記コントラスト制御領域の画素色まで徐々に画素色が変化するアンチエリアシング領域を備えている、請求項１記載の機械可読ドットパターン情報端末。
【請求項４】
前記コントラスト制御領域の画素色は、前記ドットの画素色の補色である、請求項１記載の機械可読ドットパターン情報端末。
【請求項５】
（１）前記コントラスト制御領域の画素色は無彩色であり、前記ドットの画素色は有彩色である、
（２）前記コントラスト制御領域の画素色は有彩色であり、前記ドットの画素色は無彩色である、
のいずれかである請求項１記載の機械可読ドットパターン情報端末。
【請求項６】
（１）前記コントラスト制御領域の画素色は白色であり、前記ドットの画素色は黒色である、
（２）前記コントラスト制御領域の画素色は黒色であり、前記ドットの画素色は白色である、
のいずれかである請求項１記載の機械可読ドットパターン情報端末。
【請求項７】
前記ドットの画素色は周辺画素領域の画素色に対して識別可能な画素色である、請求項２記載の機械可読ドットパターン情報端末。
【請求項８】
前記コントラスト制御領域の画素色は周辺画素領域の画素色に対して識別可能な画素色であり、前記ドットの画素色は前記コントラスト制御領域の画素色に対して識別可能な画素色である、請求項１記載の機械可読ドットパターン情報端末。
【請求項９】
前記機械可読ドットパターンは、所定の規則に基づいて配置された基準ドットを基に、１つのドットコードおよび／またはXY座標を定義する領域と該ドットパターンの向きおよび前記情報ドットの配置を定めて該ドットコードが定義される、請求項１〜７のいずれか１項に記載の機械可読ドットパターン情報端末。
【請求項１０】
前記ドットコードおよび／またはXY座標が定義される機械可読ドットパターンは、前記所定の領域に上下左右に連結または連接して複数設けられる、請求項９記載の機械可読ドットパターン情報端末。
【請求項１１】
前記機械可読ドットパターンは、前記ドットおよび／またはコントラスト制御領域の画素色によって、ドットコードおよび／またはXY座標が定義される、請求項１記載の機械可読ドットパターン情報端末。
【請求項１２】
前記複数の情報ドットまたは、前記複数の情報ドットおよび基準ドットは、所定のフレーム中の予め決められた所定位置に配置されることにより、前記機械可読ドットパターンの表示の有無を判定可能とする、請求項１〜１０のいずれか１項に記載の機械可読ドットパターン情報端末。
【請求項１３】
前記機械可読ドットパターンが表示される場合には、
該機械可読ドットパターンを表示するフレームと同一のフレームに、前記表示装置に表示される画像を特定するためのインデックスを表示することを特徴とする、請求項１〜１０のいずれか１項に記載の機械可読ドットパターン情報端末。
【請求項１４】
映像が表示される少なくとも所定のフレーム中の全領域または１以上の所定領域に、複数のドットを所定規則に基づいて配置した、表示装置を用いて表示させる機械可読ドットパターンを読み取るためのカメラを備える機械可読ドットパターン情報端末であって、
前記ドットパターンは、所定のフレーム間隔で、所定のフレーム数だけ表示される、機械可読ドットパターン情報端末。
【請求項１５】
前記所定のフレーム間隔および前記所定のフレーム数は、前記表示装置に映像が３０フレーム／秒で映像表示される場合には、１０〜３０フレームに付き１〜２フレーム、前記映像が６０フレーム／秒で映像表示される場合には、２０〜６０フレームに付き１〜４フレームである、請求項１４記載の機械可読ドットパターン情報端末。
【請求項１６】
前記所定のフレーム間隔は、第１のフレームでは前記ドットパターンを表示し、第２のフレームでは該ドットパターンのみを非表示とし、第１のフレームと第２のフレームが交互に表示される、請求項１４記載の機械可読ドットパターン情報端末。
【請求項１７】
前記表示装置に映像が３０フレーム／秒で表示される場合には、前記第１のフレームのフレーム数は１〜２フレームで、前記第２のフレームのフレーム数は１０〜３０フレームで映像が表示され、
前記表示装置に映像が６０フレーム／秒で表示される場合には、前記第１のフレームのフレーム数は１〜４フレームで、前記第２のフレームのフレーム数は２０〜６０フレームで映像が表示さる、請求項１６記載の機械可読ドットパターン情報端末。
【請求項１８】
前記機械可読ドットパターンを解析し、該機械可読ドットパターンに定義された情報を復号する解析手段をさらに備えた、請求項１〜１７のいずれかに記載の機械可読ドットパターン情報端末。
【請求項１９】
復号された前記情報を出力する出力手段をさらに備えた、請求項１８記載の機械可読ドットパターン情報端末。
【請求項２０】
請求項１〜１７のいずれかに記載の機械可読ドットパターンを読み取る、
機械可読ドットパターンの読取方法。
【請求項２１】
さらに、前記機械可読ドットパターンを解析し、
該機械可読ドットパターンに定義された情報を復号する、請求項２０記載の機械可読ドットパターンの読取方法。
【請求項２２】
請求項１〜１７のいずれかに記載の機械可読ドットパターンを読み取り、
前記機械可読ドットパターンを解析し、
該機械可読ドットパターンに定義された情報を復号し、
復号された前記情報を出力する、
機械可読ドットパターンを用いた情報処理方法。
【請求項２３】
請求項１〜１７のいずれかに記載の機械可読ドットパターンを読み取る処理を実行させるための機械可読ドットパターン読取プログラム。
【請求項２４】
請求項１〜１７のいずれかに記載の機械可読ドットパターンを表示するための表示装置。
【請求項２５】
請求項１〜１７のいずれかに記載の機械可読ドットパターンを含む画像を生成するための画像生成装置。
【請求項２６】
請求項１〜１７のいずれかに記載の機械可読ドットパターンを含む画像を生成させるための画像生成プログラム。
【請求項２７】
請求項１〜１７のいずれかに記載の機械可読ドットパターンを含む画像の生成方法。
【請求項２８】
映像が表示される少なくとも所定のフレーム中の全領域または１以上の所定領域に、複数のドットを所定規則に基づいて配置した、表示装置を用いて表示させる機械可読ドットパターンであって、
前記ドットパターンは、所定のフレーム間隔で、所定のフレーム数だけ表示される、機械可読ドットパターン。
【請求項２９】
前記所定のフレーム間隔および前記所定のフレーム数は、前記表示装置に映像が３０フレーム／秒で映像表示される場合には、１０〜３０フレームに付き１〜２フレーム、前記映像が６０フレーム／秒で映像表示される場合には、２０〜６０フレームに付き１〜４フレームである、請求項２８記載の機械可読ドットパターン。
【請求項３０】
前記所定のフレーム間隔は、第１のフレームでは前記ドットパターンを表示し、第２のフレームでは該ドットパターンのみを非表示とし、第１のフレームと第２のフレームが交互に表示される、請求項２８記載の機械可読ドットパターン。
【請求項３１】
前記表示装置に映像が３０フレーム／秒で表示される場合には、前記第１のフレームのフレーム数は１〜２フレームで、前記第２のフレームのフレーム数は１０〜３０フレームで映像が表示され、
前記表示装置に映像が６０フレーム／秒で表示される場合には、前記第１のフレームのフレーム数は１〜４フレームで、前記第２のフレームのフレーム数は２０〜６０フレームで映像が表示さる、請求項３０記載の機械可読ドットパターン。